(57)【要約】【課題】低コスト化を図ることができるチェストを提供する。【解決手段】フレーム構成部材の下部側壁面６１に内側へ向けて延出する上方ガイド部６２を底面２２に沿って形成し、上方ガイド部６２と、上方ガイド部６２に対向した底板部３２の対向部位が構成する下方ガイド部６３とによって、引出側ローラー１７５を支持するフレーム側レール５１を構成する。上方ガイド部６２を、下部側壁面６１より延出した板状のガイド部本体７１と、ガイド部本体７１の先端部に一体形成されたリブ７２とで構成する。リブ７２を、下方ガイド部６３と対向するガイド部本体７１の下面７３の逆側面を構成する上面７４に形成し、リブ７２を、ガイド部本体７１の延出方向と直交する直交方向へ向けて立設する。【選択図】図５
0003149851.tif 000002
【実用新案登録請求の範囲】
【請求項１】
引出を出し入れ自在に収容するフレームに、前記引出より側方に突出した被案内部をガイドするガイド部が設けられたチェストにおいて、
前記フレームに内側へ向けて延出する前記ガイド部を形成するとともに、前記ガイド部に、当該ガイド部の延出方向と交差した交差方向に突出するリブを設けたことを特徴とするチェスト。
【請求項２】
前記リブを、前記ガイド部の上面又は下面のいずれか一方に形成したことを特徴とする請求項１記載のチェスト。
【請求項３】
前記フレームは、前記ガイド部に対向する対向部を備え、
該対向部と対向する前記ガイド部の対向面と逆側に位置する面に前記リブを設けたことを特徴とする請求項２記載のチェスト。
【請求項４】
前記対向部を、前記フレームの底面で構成し、前記リブを、前記ガイド部の上面に設定したことを特徴とする請求項３記載のチェスト。
【請求項５】
前記リブを前記ガイド部の先端に設けたことを特徴とする請求項１から４にいずれか記載のチェスト。
【考案の詳細な説明】
【技術分野】
【０００１】
本考案は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
前記引出の側面には、被案内部としてのローラーが設けられており、前記チェスト本体を構成するフレームの内側面には、前記ローラーをガイドする案内部としてのフレーム側レールが設けられている。
【０００５】
該フレーム側レールは、前記ローラーの上方に配置される上方ガイド部と、前記ローラーの下方に配置される下方ガイド部と、両ガイド部を連設する連設部とによって断面コ字状に形成されており、前記ローラーを上下から挟んだ状態で転動自在にガイドできるように構成されている。
【０００６】
これにより、前記引出の移動をスムーズに行えるように構成されている。
【考案の概要】
【考案が解決しようとする課題】
【０００７】
しかしながら、このようなチェストにおいては、フレームに別部材からなるフレーム側レールを取り付ける必要があった。
【０００８】
これにより、低コスト化の阻害要因となっていた。
【０００９】
本考案は、このような従来の課題に鑑みてなされたものであり、低コスト化を図ることができるチェストを提供することを目的とするものである。
【課題を解決するための手段】
【００１０】
前記課題を解決するために本考案の請求項１のチェストにあっては、引出を出し入れ自在に収容するフレームに、前記引出より側方に突出した被案内部をガイドするガイド部が設けられたチェストにおいて、前記フレームに内側へ向けて延出する前記ガイド部を形成するとともに、前記ガイド部に、当該ガイド部の延出方向と交差した交差方向に突出するリブを設けた。
【００１１】
すなわち、引出より側方に突出した被案内部は、フレームの側壁面より内側へ向けて延出するガイド部によって案内される。
【００１２】
そして、このガイド部には、当該ガイド部の延出方向と交差する交差方向に突出したリブが設けられている。これにより、前記ガイド部は、前記リブによって補強される。
【００１３】
また、請求項２のチェストにおいては、前記リブを、前記ガイド部の上面又は下面のいずれか一方に形成した。
【００１４】
すなわち、前記リブは、前記ガイド部の上面又は下面のいずれか一方に形成されており、当該リブが形成されない他方の面は平坦に形成される。
【００１５】
さらに、請求項３のチェストでは、前記フレームは、前記ガイド部に対向する対向部を備え、該対向部と対向する前記ガイド部の対向面と逆側に位置する面に前記リブを設けた。
【００１６】
すなわち、前記フレームには、前記ガイド部に対向する対向部が形成されており、該対向部と対向する前記ガイド部の対向面とは逆側の面に、前記リブが設けられている。
【００１７】
このため、前記対向部に対向した前記対向面が平坦に形成される。
【００１８】
加えて、請求項４のチェストにあっては、前記対向部を、前記フレームの底面で構成し、前記リブを、前記ガイド部の上面に設定した。
【００１９】
すなわち、前記フレームの底面に、前記対向部が設定されており、前記リブは、前記ガイド部の上面に設定されている。
【００２０】
これにより、前記フレームの底面に対向する前記リブの下面が平坦に形成される。
【００２１】
また、請求項５のチェストにおいては、前記リブを前記ガイド部の先端に設けた。
【００２２】
これにより、前記ガイド部は、先端部の強度が高められる。
【考案の効果】
【００２３】
以上説明したように、本考案の請求項１のチェストにあっては、フレームの側壁面に内側へ延出するガイド部を形成することで、引出より側方に突出した被案内部を、前記ガイド部で案内することができる。
【００２４】
したがって、引出の被案内部をガイドする為のレールをフレームに取り付ける必要があった従来と比較して、部品点数を削減することができる。
【００２５】
また、引出の被案内部をガイドする為のレールをフレームに取り付ける場合と比較して、組み付け工数を削減することができる。
【００２６】
これらによって、低コスト化を図ることができる。
【００２７】
そして、このガイド部には、当該ガイド部の延出方向と交差する交差方向に突出したリブが設けられており、このリブによって前記ガイド部を補強することができる。
【００２８】
これにより、前記ガイド部の不用意な変形を未然に防止することができる。
【００２９】
また、請求項２のチェストにおいて、前記リブは、前記ガイド部の上面又は下面にいずれか一方に形成されており、当該リブが形成されない他方の面を平坦面とすることができる。
【００３０】
このため、この他方の面に金型用のスライド面を設定することができ、前記リブが突設された前記ガイド部の金型による成型を可能とすることができる。
【００３１】
さらに、請求項３のチェストでは、前記フレームに前記ガイド部に対向する対向部が形成されており、該対向部に対向する前記ガイド部の対向面とは逆側の面に、前記リブが設けられている。
【００３２】
このため、前記対向部に対向した前記対向面を、平坦面で構成することができ、当該対向面と該対向面に対向した前記対向部との間に、成型後にスライドして抜き取られる金型を配置することができる。
【００３３】
加えて、請求項４のチェストにあっては、前記フレームの底面に前記対向部が設定されており、前記リブは、前記ガイド部の上面に設定されている。
【００３４】
これにより、前記フレームの底面に対向する前記リブの下面を平坦に形成することができ、前記底面と前記リブとを形成する金型を、前記底面及び前記下面に沿って型抜きすることができる。
【００３５】
そして、請求項５のチェストにおいては、前記リブを前記ガイド部の先端に設けることにより、前記ガイド部における先端部の強度を高めることができる。
【図面の簡単な説明】
【００３６】
【図１】本考案の第１の実施の形態の正面を示す一部断面図である。
【図２】同実施の形態の側面図である。
【図３】同実施の形態の要部を示す一部断面図である。
【図４】同実施の形態のフレームを示す断面図である。
【図５】同実施の形態のフレームの要部を示す断面図である。
【図６】同実施の形態のフレーム構成部材の要部を示す図であり、（ａ）は支柱の取付部部分を示す断面図であり、（ｂ）は取付部に支持部品を取り付けた状態を示す側面図である。
【図７】同実施の形態の要部を示す断面図である。
【図８】同実施の形態の引出側レールを示す図で、（ａ）は平面図であり、（ｂ）は側面図である。
【図９】同実施の形態の動作を示す説明図である。
【図１０】図９に続く動作を示す説明図である。
【図１１】本考案の第２の実施の形態を示す要部の断面図である。
【図１２】本考案の第３の実施の形態を示す要部の断面図である。
【考案を実施するための形態】
【００３７】
（第１の実施の形態）
【００３８】
以下、本考案の第１の実施の形態を図に従って説明する。図１は、本実施の形態にかかるチェスト１を示す図であり、該チェスト１は、衣類や小物などを収納するものである。
【００３９】
このチェスト１は、図２にも示すように、フレーム１１を形成するチェスト本体１２と、該チェスト本体１２に設けられた矩形容器状の引出１３，１３とによって構成されている。
【００４０】
前記チェスト本体１２を形成する前記フレーム１１は、上下に連結された二つ合成樹脂製のフレーム構成部材２１，２１によって構成されており、下段のフレーム構成部材２１の底面２２裏側には、キャスター２３，・・・が四隅に設けられている。上段のフレーム構成部材２１には、合成樹脂製の天板２４が設けられており、両フレーム構成部材２１，２１間及び上段のフレーム構成部材２１と前記天板２４間には、合成樹脂製の前記引出１３，１３が引き出し自在に保持されている。
【００４１】
前記フレーム構成部材２１は、図３及び図４に示すように、中央部に矩形開口部３１が形成された長方形状の底板部３２と、該底板部３２の四隅に一体形成された支柱３３，・・・とによって構成されており、当該フレーム構成部材２１は、前記支柱３３，・・・の長さ方向に型開きされる金型によって形成されている。
【００４２】
該支柱３３は、四角柱状に形成されており、図４に示したように、前記底板部３２に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４３が形成されている。下段のフレーム構成部材２１の支柱３３の挿入部４２は、図３に示したように、上段のフレーム構成部材２１の支柱３３下部に挿入された状態で固定されており、上段のフレーム構成部材２１の支柱３３の挿入部４２は、前記天板２４に挿入された状態で固定されている。
【００４３】
前記フレーム構成部材２１における前後の支柱３３，３３間には、図４及び図５に示すように、フレーム側レール５１が設けられている。
【００４４】
すなわち、両支柱３３，３３間には、下部側壁面６１が両支柱３３，３３の下部に一体形成されており、該下部側壁面６１には、内側へ向けて突出した上方ガイド部６２が当該フレーム構成部材２１の前記底板部３２の底面２２に沿って形成されている。これにより、当該フレーム構成部材２１には、前記上方ガイド部６２と、該上方ガイド部６２に対向した前記底板部３２の対向部位が構成する下方ガイド部６３とによって、前記フレーム側レール５１が構成されている。
【００４５】
前記上方ガイド部６２は、図５に示したように、前記下部側壁面６１より延出した板状のガイド部本体７１と、該ガイド部本体７１の先端に一体形成されたリブ７２とによって構成されている。該リブ７２は、前記下方ガイド部６３と対向する前記ガイド部本体７１の下面７３の逆側面を構成する前記上面７４に形成されており、当該ガイド部本体７１の延出方向と直交する直交方向へ向けて立設されている。
【００４６】
前記上方ガイド部６２は、図４に示したように、その奥側に欠損した切欠部８１が設定されており、当該上方ガイド部６２は、奥側の支柱３３より手前側で終了するように構成されている。また、前記上方ガイド部６２は、その手前側にも欠損した切欠部８２が設定されており、当該上方ガイド部６２は、手前側の支柱３３より奥側で終了するように構成されている。
【００４７】
このフレー構成部材２１の支柱３３，３３の内側面には、内側に突出した突出部９１，９１が上端部から下端に渡って形成されており、前方Ｆ側に配置された支柱３３における前記突出部９１は、下端部において前方に延出している。この前方に突出した前方突出部９２には、図６にも示すように、上下に延在する溝状の取付部９３が形成されており、該取付部９３は、図４に示したように、当該フレーム構成部材２１を形成する金型の金型移動方向９４に延在するとともに、当該金型が型抜き時に移動される方向と同方向である上方へ向けて開口するように構成されている。
【００４８】
この取付部９３は、前記突出部９１に開口した幅狭部１０１と、該幅狭部１０１の奥側に設けられた幅広部分１０２とによって構成されている。これにより、前記幅狭部１０１の両脇には、当該幅狭部１０１の内側に突出した突片１０３，１０３が形成されている。
【００４９】
この取付部９３の上方開口部からは、支持部を構成する支持部品１１１が挿入された状態で固定されるように構成されている。
【００５０】
この支持部品１１１を構成するベース部材１２１は、合成樹脂によって形成されており、当該ベース部材１２１には、金属製のフレーム側ローラー１２２が回動自在に支持されている。これにより、この支持部品の前記ベース部材１２１を、図４に示したように、前記取付部９３に固定した状態で、前記フレーム側ローラー１２２を前記フレーム側レール５１の延長上に配置できるように構成されている。
【００５１】
このフレーム構成部材２１の左右の支柱３３，・・・間に保持される前記引出１３は、合成樹脂によって形成されており、図７に示したように、上方が開口した矩形容器状に形成されている。この引出１３は、上下方向に型開きされる金型によって成形されており、左右の側面１５１，１５１の横幅寸法及び前面１５２並びに後面１５３の奥行き寸法は、抜き勾配によって下方へ向かうに従って小さくなるように形成されている。これにより、対向した左右の側面１５１，１５１と、対向した前面１５２及び後面１５３は傾斜するとともに、内径寸法が上方へ向かうに従って広がるように設定されており、引出１３，１３同士を重ねて保管できるように構成されている。
【００５２】
この引出１３には、各側面１５１，１５１の下部に引出側レール１６１が固定されており、該引出側レール１６１は、前記フレーム１１より硬質の金属によって構成されている。
【００５３】
この引出側レール１６１は、図８に示したように、側面部１７１と天面部１７２とからなる断面Ｌ字状に形成されており、前記側面部１７１には、前記引出１３の側面１５１に設けられた固定部１７３，・・・（図７参照）に固定される固定爪１７４，・・・が切り起こされている。前記側面部１７１の端部には、本考案の被係合部を構成する引出側ローラー１７５が回転自在に支持されており、該引出側ローラー１７５が位置する前記天面部１７２の端部には、前記引出側ローラー１７５の上部が突出させる為の切欠部１７６が設けられている。
【００５４】
これにより、図９に示すように、前記引出１３より側方に突出した前記引出側ローラー１７５は、前記フレーム構成部材２１に設けられた前記フレーム側レール５１に上下から挟まれた状態で案内される一方、前記フレーム構成部材２１に設けられたフレーム側ローラー１２２は、前記引出１３に設けられた前記引出側レール１６１に案内されるように構成されている。
【００５５】
そして、前記フレーム１１から前記引出１３を引き出す際には、前記フレーム構成部材２１に設けられた前記フレーム側ローラー１２２が前記引出１３に設けられた前記引出側レール１６１の前記天面部１７２を支持する一方、前記引出１３が当該引出１３の荷重によって前のめりになった際には、該引出１３に設けられた前記引出側ローラー１７５が前記フレーム構成部材２１に形成された前記フレーム側レール５１の前記上方ガイド部６２に支持されるように構成されている（図示省略）。さらに、前記引出１３を引き出した際には、図１０に示すように、前記引出側ローラー１７５が前記フレーム側レール５１から離脱することによって、当該引出１３をチェスト本体１２から取り出せるように構成されている。
【００５６】
以上の構成にかかる本実施の形態において、前記引出１３より側方に突出した被案内部である引出側ローラー１７５を、フレーム１１の下部側壁面６１より内側へ向けて延出する上方ガイド部６２によって案内することができる。
【００５７】
したがって、引出側ローラー１７５をガイドする為のレールをフレーム１１に取り付ける必要があった従来と比較して、部品点数を削減することができる。
【００５８】
また、前記引出側ローラー１７５をガイドする為のレールをフレーム１１に取り付ける場合と比較して、組み付け工数を削減することができる。
【００５９】
これらによって、低コスト化を図ることができる。
【００６０】
そして、この上方ガイド部６２には、当該上方ガイド部６２の延出方向と直交する交差方向に突出したリブ７２が設けられており、このリブ７２によって前記上方ガイド部６２を補強することができる。
【００６１】
これにより、前記上方ガイド部６２の不用意な変形を未然に防止することができる。
【００６２】
また、前記リブ７２は、前記上方ガイド部６２の上面７４に形成されており、当該リブ７２が形成されない下面７３を平坦面とすることができる。
【００６３】
このため、この下面に金型用のスライド面を設定することができ、前記リブ７２が突設された前記上方ガイド部６２の金型による成型を可能とすることができる。
【００６４】
そして、前記フレーム１１には、前記上方ガイド部６２に対向する対向部としての底面２２が形成されており、該底面２２に対向した前記上方ガイド部６２の下面７３とは逆側の上面７４に前記リブ７２が設けられている。
【００６５】
このため、前記底面２２に対向した前記下面７３を、平坦面で構成することができ、当該下面７３と該下面７３に対向した前記底面２２との間に、成型後にスライドして抜き取られる金型を配置することができる。
【００６６】
これにより、前記フレーム構成部材２１を、下方に型抜きされる下金型と、上方の型抜きされる上金型と、前記底面２２と前記上方ガイド部６２の前記下面７３との間に配置され成型後には当該フレーム構成部材２１の内側へスライドされる中子とによって、上方に延出するリブを備えた断面Ｌ字状の前記上方ガイド部６２を前記フレーム構成部材２１に一体形成することができる。
【００６７】
そして、前記リブ７２は、前記上方ガイド部６２の先端に設けられている。これにより、当該上方ガイド部６２における先端部の強度を高めることができる。
【００６８】
なお、本実施の形態では、引出側ローラー１７５を支持する上方ガイド部６２を、下部側壁面６１より延出した板状のガイド部本体７１と、該ガイド部本体７１の上面７４に設けられたリブ７２とによって断面Ｌ字状に形態した場合を例に挙げて説明したが、これに限定されるものでは無い。
【００６９】
（第２の実施の形態）
【００７０】
すなわち、図１１は、第２の実施の形態を示す図であり、第１の実施の形態の図５に相当する断面が示されている。
【００７１】
この実施の形態における上方ガイド部６２では、前記下部側壁面６１より延出した板状のガイド部本体７１の下面７３に、下方へ向けて突出したリブ２０１が設けられている。
【００７２】
これによっても、第１の実施の形態と同様に、当該上方ガイド部６２の補強効果を得ることができる。
【００７３】
（第３の実施の形態）
【００７４】
また、図１２の第３の実施の形態に示すように、下部側壁面６１より延出した板状のガイド部本体７１の下面７３及び上面７４に、上下方向へ向けて突出するリブ３０１を設けても良い。
【００７５】
これによっても、第１の実施の形態と同様に、当該上方ガイド部６２の補強効果を得ることができる。
【００７６】
そして、第１及び第２の実施の形態で示したように、前記ガイド部本体７１の上面７４又は下面７３の一方にリブ７２，２０１を設けた場合と比較して、剛性を高めることができる。
【符号の説明】
【００７７】
１    チェスト
１１    フレーム
１３    引出
２２    底面
６１    下部側壁面
６２    上方ガイド部
６３    下方ガイド部
７２    リブ
７３    下面
７４    上面
１７５    引出側ローラー
２０１    リブ
３０１    リブ
【図１】
0003149851.tif 000003
【図２】
0003149851.tif 000004
【図３】
0003149851.tif 000005
【図４】
0003149851.tif 000006
【図５】
0003149851.tif 000007
【図６】
0003149851.tif 000008
【図７】
0003149851.tif 000009
【図８】
0003149851.tif 000010
【図９】
0003149851.tif 000011
【図１０】
0003149851.tif 000012
【図１１】
0003149851.tif 000013
【図１２】
0003149851.tif 000014